(57)【要約】【課題】燃料電池の燃料カートリッジ監視制御装置を提供する。【解決手段】燃料電池の燃料カートリッジ監視制御装置において、燃料溶液混合手段、流体計量手段、流体供給手段を含んだ燃料監視制御装置の提供と、高濃度の液体燃料を貯蔵した燃料カートリッジと、純水を貯蔵した純水カートリッジと、燃料と純水が混合する燃料溶液量を貯蔵した供給カートリッジと、燃料カートリッジと純水カートリッジ内の流体がそれぞれ供給カートリッジ内に流入することで、燃料と純水の混合燃料溶液量が、それぞれ予定の流体供給量に達した後で流体供給手段をクローズにし、燃料カートリッジと純水カートリッジの流体供給を停止する流体供給手段をオープンにすることと、供給カートリッジ内の燃料溶液量を監視制御する流体計量手段、及び、供給カートリッジ内の燃料溶液量が既定値より低くなったと判断した時、前記流体供給手段をオープンに選択する流体計量手段を含む。【選択図】  図１
2007087915.tif 000002
【特許請求の範囲】
【請求項１】
一種の燃料電池の燃料カートリッジ監視制御装置において、
特定濃度の燃料を充填した装置である燃料カートリッジと、
純水を充填した装置である純水カートリッジと
液体の充填スペースを具えた装置である供給カートリッジと、
ロジック判断手段、及び、制御手段の回路を提供している監視制御ユニット、及び、
燃料電池を含み、
該燃料カートリッジ、純水カートリッジ、及び、供給カートリッジは、それぞれ液体出力制御手段を具え、且つ、該供給カートリッジが該燃料カートリッジと純水カートリッジに連結し、該燃料電池が供給カートリッジに連結し、また、該監視制御ユニットのロジック判断手段、及び、制御手段を介して燃料カートリッジと純水カートリッジからそれぞれ供給カートリッジに流入した液体量が特定濃度の燃料溶液を混合形成し、及び、供給カートリッジが燃料電池に出力する燃料溶液量を選択することを特徴とする、燃料電池の燃料カートリッジ監視制御装置。
【請求項２】
請求項１記載の燃料電池の燃料カートリッジ監視制御装置において、その燃料カートリッジ、純水カートリッジ、及び、供給カートリッジの液体出力制御手段は、流体制御弁で達成することを特徴とする、燃料電池の燃料カートリッジ監視制御装置。
【請求項３】
請求項２記載の燃料電池の燃料カートリッジ監視制御装置において、その流体制御弁は流体流量制御手段を具え、また、流体計量制御手段を達成することを特徴とする、燃料電池の燃料カートリッジ監視制御装置。
【請求項４】
請求項２記載の燃料電池の燃料カートリッジ監視制御装置において、その監視制御ユニットは、更に一歩進んで、
液体出力制御回路、及び、
液体量監視回路を含み、
その液体出力制御回路と液体量監視回路は、供給カートリッジ内に設置され、且つ、該液体出力制御回路が供給カートリッジをオープン、或いは、クローズする流体制御弁を選択し、該液体量監視回路に供給カートリッジ内の燃料溶液量を判断することを含むことを特徴とする、燃料電池の燃料カートリッジ監視制御装置。
【請求項５】
請求項４記載の燃料電池の燃料カートリッジ監視制御装置において、その監視制御ユニットは更に一歩進んで伝送ポートを含み、該伝送ポートはデータ伝送インターフェースであることを特徴とする、燃料電池の燃料カートリッジ監視制御装置。
【請求項６】
請求項５記載の燃料電池の燃料カートリッジ監視制御装置において、その伝送ポートは、USBインターフェース、1394インターフェース、及び、その他電子装置の情報出力インターフェース内の任意の伝送インターフェースのいずれかであることを特徴とする、燃料電池の燃料カートリッジ監視制御装置。
【請求項７】
請求項２記載の燃料電池の燃料カートリッジ監視制御装置において、該監視制御ユニットは更に一歩進んで、
該数個の液体出力制御回路、及び、
該数個の液体量監視回路を含み、
そのこれら液体出力制御回路が、それぞれ燃料カートリッジ、純水カートリッジ、及び、供給カートリッジ内に設置されて、該燃料カートリッジ、純水カートリッジ、及び、供給カートリッジに対応する流体制御弁のオープン、或いは、クローズを選択し、且つ、これら液体量監視回路には該燃料カートリッジ、純水カートリッジ、及び、供給カートリッジに対応して貯蔵する液体量の判断を含むことを特徴とする、燃料電池の燃料カートリッジ監視制御装置。
【請求項８】
請求項７記載の燃料電池の燃料カートリッジ監視制御装置において、その燃料カートリッジ、純水カートリッジ、及び、供給カートリッジは、それぞれ伝送ポートを含み、該伝送ポートがデータ伝送インターフェースであることを特徴とする、燃料電池の燃料カートリッジ監視制御装置。
【請求項９】
請求項８記載の燃料電池の燃料カートリッジ監視制御装置において、その伝送ポートがUSBインターフェース、1394インターフェース、及び、その他電子装置の情報出力インターフェース内の任意の伝送インターフェースのいずれかであることを特徴とする、燃料電池の燃料カートリッジ監視制御装置。
【請求項１０】
請求項７記載の燃料電池の燃料カートリッジ監視制御装置において、その監視制御ユニットのそれぞれ燃料カートリッジ、純水カートリッジ、及び、供給カートリッジ内に設置する各回路が独立して運転することを特徴とする、燃料電池の燃料カートリッジ監視制御装置。
【請求項１１】
請求項２記載の燃料電池の燃料カートリッジ監視制御装置において、更に一歩進んで液面計を含み、液面高度を判断する手段を具備する装置であることを特徴とする、燃料電池の燃料カートリッジ監視制御装置。
【請求項１２】
請求項１１記載の燃料電池の燃料カートリッジ監視制御装置において、その液面計は更に一歩進んで液面表示手段を含むことを特徴とする、燃料電池の燃料カートリッジ監視制御装置。
【請求項１３】
請求項２記載の燃料電池の燃料カートリッジ監視制御装置において、その供給カートリッジは更に一歩進んで濃度計を含み、該濃度計には濃度を検出する手段を具えることを特徴とする、燃料電池の燃料カートリッジ監視制御装置。
【請求項１４】
一種の燃料電池の燃料カートリッジ監視制御装置において、
燃料溶液混合手段、流体計量手段、及び、流体供給手段を含んだ燃料電池で使用する燃料監視制御装置を提供することと、
高濃度の液体燃料を貯蔵した燃料カートリッジと、
純水を貯蔵した純水カートリッジと、
燃料と純水が混合する燃料溶液量を貯蔵した供給カートリッジと、
燃料カートリッジと純水カートリッジ内の流体がそれぞれ供給カートリッジ内に流入することで、燃料と純水の混合燃料溶液量が、それぞれ予定の流体供給量に達した後、流体供給手段をクローズにし、燃料カートリッジと純水カートリッジの流体供給を停止する流体供給手段をオープンにすることと、
供給カートリッジ内の燃料溶液量を監視制御する流体計量手段、及び、
供給カートリッジ内の燃料溶液量が既定値より低くなったと判断した時、前記流体供給手段をオープンに選択する流体計量手段を含むことを特徴とする、燃料電池の燃料カートリッジ監視制御装置。
【請求項１５】
請求項１4記載の燃料電池の燃料カートリッジ監視制御装置において、更に一歩進んで、
液体出力制御回路、及び、液体量監視回路を提供し、燃料溶液の混合手段、流体計量手段、及び、流体供給手段を制御することに用いる監視制御ユニットを含み、
該燃料カートリッジ、純水カートリッジ、及び、供給カートリッジは、それぞれ液体出力制御手段を具え、且つ、該供給カートリッジが該燃料カートリッジと純水カートリッジに連結し、該燃料電池が供給カートリッジに連結し、また、該監視制御ユニットを介して燃料カートリッジと純水カートリッジからそれぞれ供給カートリッジに流入した液体量が特定濃度の燃料溶液を混合形成し、及び、供給カートリッジが燃料電池に出力する燃料溶液量を選択することを特徴とする、燃料電池の燃料カートリッジ監視制御装置。
【請求項１６】
請求項１５記載の燃料電池の燃料カートリッジ監視制御装置において、その燃料カートリッジ、純水カートリッジ、及び、供給カートリッジの液体出力制御手段は、流体制御弁で達成することを特徴とする、燃料電池の燃料カートリッジ監視制御装置。
【請求項１７】
請求項１６記載の燃料電池の燃料カートリッジ監視制御装置において、その流体制御弁に流体流量制御手段を具え、また、これによって流体計量制御手段を達成することを特徴とする、燃料電池の燃料カートリッジ監視制御装置。
【請求項１８】
請求項１５記載の燃料電池の燃料カートリッジ監視制御装置において、その液体出力制御回路と液体量監視回路は、供給カートリッジ内に設置され、且つ、該液体出力制御回路が供給カートリッジをオープン、或いは、クローズする流体制御弁を選択し、該液体量監視回路に供給カートリッジ内の燃料溶液量を判断することを含むことを特徴とする、燃料電池の燃料カートリッジ監視制御装置。
【請求項１９】
請求項１５記載の燃料電池の燃料カートリッジ監視制御装置において、そのこれら液体出力制御回路が、それぞれ燃料カートリッジ、純水カートリッジ、及び、供給カートリッジ内に設置されて、該燃料カートリッジ、純水カートリッジ、及び、供給カートリッジに対応する流体制御弁のオープン、或いは、クローズを選択し、且つ、これら液体量監視回路には該燃料カートリッジ、純水カートリッジ、及び、供給カートリッジに対応して貯蔵する液体量の判断を含むことを特徴とする、燃料電池の燃料カートリッジ監視制御装置。
【請求項２０】
請求項１５記載の燃料電池の燃料カートリッジ監視制御装置において、更に一歩進んで液面計を含み、液面高度を判断して流体計量手段を達成することを具備することを特徴とする、燃料電池の燃料カートリッジ監視制御装置。
【請求項２１】
請求項１５記載の燃料電池の燃料カートリッジ監視制御装置において、更に一歩進んで供給カートリッジ燃料溶液濃度の監視制御手段を含むことを特徴とする、燃料電池の燃料カートリッジ監視制御装置。
【請求項２２】
請求項２１記載の燃料電池の燃料カートリッジ監視制御装置において、その供給カートリッジ燃料溶液濃度の監視制御手段に更に一歩進んで、供給カートリッジ燃料溶液濃度の監視制御手段で供給カートリッジ燃料溶液濃度の情報を監視制御ユニットに提供し、監視制御ユニットがロジック判断手段で燃料カートリッジから供給させる燃料量を判断し、また燃料カートリッジが供給カートリッジに供給する燃料量を予定の燃料量に達するまで燃料カートリッジの流体制御弁をオープンにすることを選択し、更に監視制御ユニットの制御手段を介して燃料カートリッジの流体制御弁をクローズすることを含むことを特徴とする、燃料電池の燃料カートリッジ監視制御装置。
【発明の詳細な説明】
【技術分野】
【０００１】
本発明は、燃料電池の燃料カートリッジ監視制御装置に関り、特に回路、センサー、ロジックの演算デバイス等を統合することで、燃料電池の特定燃料濃度の供給を達成できるものに関する。
【背景技術】
【０００２】
従来の燃料電池は、水素リッチ燃料を利用し、酸化還元反応を経た後、電流ループを形成して電源の供給に用いている。この種の燃料電池に必要な反応物内にはメタノール燃料のような液体燃料を具備することで、燃料電池にも流体燃料を充填する容器構造、及び、燃料濃度を制御する装置を具備しなければならなかった。更に、現在の消費性電子において、携帯可能な電源供給装置の需要が激増してきたことにより、産業界も携帯可能な燃料電池をソルーションとして提供してきたが、この種の燃料電池技術も燃料の補充において完璧ではなかった。これにより、本発明は、従来の燃料電池の欠陥に基づき、改良に努めることで一種の燃料電池の燃料カートリッジ構造を発明した。
【発明の開示】
【発明が解決しようとする課題】
【０００３】
本発明の主な目的は、燃料電池の燃料カートリッジ監視制御装置を提供することにあり、燃料電池に必要とする燃料を貯蔵することができるものである。
【０００４】
本発明の更なる目的は、燃料電池の燃料カートリッジ監視制御装置を提供することにあり、燃料と純水を混合する手段を具備することで、出力された燃料濃度を制御することに用いる。
【０００５】
本発明の第三の目的は、燃料電池の燃料カートリッジ監視制御装置を提供することにあり、流体計量手段を具備することで、出力された流体流量を制御することに用いる。
【０００６】
本発明の第四の目的は、燃料電池の燃料カートリッジ監視制御装置を提供することにあり、監視制御装置を具備することで、燃料装置の電気デバイスとして監視、或いは、制御することに用いる。
【課題を解決するための手段】
【０００７】
上記の目的を達成するため、本発明は、燃料電池の燃料カートリッジ監視制御装置において、燃料溶液混合手段、流体計量手段、及び、流体供給手段を含んだ燃料電池で使用する燃料監視制御装置を提供することと、高濃度の液体燃料を貯蔵した燃料カートリッジと、純水を貯蔵した純水カートリッジと、燃料と純水が混合する燃料溶液量を貯蔵した供給カートリッジと、燃料カートリッジと純水カートリッジ内の流体がそれぞれ供給カートリッジ内に流入することで、燃料と純水の混合燃料溶液量が、それぞれ予定の流体供給量に達した後、流体供給手段をクローズにし、燃料カートリッジと純水カートリッジの流体供給を停止する流体供給手段をオープンにすることと、供給カートリッジ内の燃料溶液量を監視制御する流体計量手段、及び、供給カートリッジ内の燃料溶液量が既定値より低くなったと判断した時、前記流体供給手段をオープンに選択する流体計量手段を提供することにある。
【０００８】
該項目を熟知する技術者に本発明の目的、特徴、及び、効果を理解してもらうため、下記の具体的な実施例を介すると共に付属の図式を組み合わせ、本発明に対する詳細な説明を以下のとおり行うものである。
【実施例】
【０００９】
図１は、本発明である燃料電池の燃料カートリッジ監視制御装置の具体的な実施例の部品関連見取図である。図１を見ると、本発明は燃料電池(1)で使用する燃料監視制御装置であり、燃料溶液の混合手段、流体計量手段、及び、流体供給手段を含み、且つ、具体的な実施例内の装置を介することで達成し、該装置には燃料カートリッジ(2)、純水カートリッジ(3)、供給カートリッジ(4)、監視制御ユニット(5)、液面計(6)、及び、濃度計(7)を含む。
【００１０】
前記本発明の燃料電池の燃料カートリッジ監視制御装置の各部品内において、該燃料カートリッジ(2)は、貯蔵容器であり、且つ、例えばメタノールのような高濃度の水素リッチ液体燃料を充填し、且つ、該燃料カートリッジ(2)は液体出力の流量、或いは、体積の制御手段を具え、一般的に言うと、この流量、或いは、体積の制御手段は、流量制御を具備する流体制御弁で達成することができ、該純水カートリッジ(3)は、貯蔵容器であり、且つ純水を充填し、該純水カートリッジ(3)は同様に液体出力の流量、或いは、体積の制御手段を具え、該供給カートリッジ(4)は該燃料カートリッジ(2)と純水カートリッジ(3)を連結する貯蔵容器であり、また、燃料カートリッジ(2)と純水カートリッジ(3)の流量、或いは、体積の制御手段を通じて、燃料カートリッジ(2)と純水カートリッジ(3)がそれぞれ供給カートリッジ(4)に流入する液体量を選択する。該監視制御ユニット(5)は、ロジック判断手段、及び、制御手段を提供し、そのロジック判断手段は燃料カートリッジ(2)と純水カートリッジ(3)が流量、或いは、体積の制御手段を実施するタイミングを判断選択することに用い、且つ、その制御手段は燃料カートリッジ(2)と純水カートリッジ(3)が流量、或いは、体積の制御手段の実行を制御することに用い、及び、該液面計(6)は燃料カートリッジ(2)、純水カートリッジ(3)、及び、供給カートリッジ(4)の液面高度を判断する手段を具備する装置である。
【００１１】
前記本発明の燃料電池の燃料カートリッジ監視制御装置内において、該供給カートリッジ(4)に濃度計(7)を具え、該濃度計(7)に濃度検出手段を具えることで、供給カートリッジ(4)内の燃料濃度を検出することができ、また、燃料濃度情報を監視制御ユニット(5)まで伝送して、供給カートリッジ(4)内の燃料濃度を判断することに用いる。
【００１２】
図２及び図３は、本発明の燃料電池の燃料カートリッジ監視制御装置の具体的な実施例の制御チャート図である。図２を見ると、前記本発明燃料電池の燃料カートリッジ監視制御装置に基づくと、その制御チャートには、ステップ(101)で、燃料カートリッジ(2)は例えばメタノール燃料のような高濃度の液体燃料を貯蔵し、ステップ(102)で、純水カートリッジ(3)が純水を貯蔵し、ステップ(103)で、監視制御ユニット(5)がそれぞれ燃料カートリッジ(2)と純水カートリッジ(3)の流体制御弁をオープンにし、また、監視制御ユニット(5)のロジック判断手段を介して予定の流体量に達するまで燃料カートリッジ(2)と純水カートリッジ(3)から供給カートリッジ(4)内に流入する流体を判断し、更に監視制御ユニット(5)の制御手段を介し、その燃料カートリッジ(2)と純水カートリッジ(3)の流体制御弁をクローズすることで燃料溶液の混合手段を達成し、ステップ(104)で、監視制御ユニット(5)が液面計(6)を介して供給カートリッジ(4)内の燃料と純水混合の燃料溶液量を監視し、ステップ(105)で、監視制御ユニット(5)は供給カートリッジ(4)が燃料電池(1)の需要によって燃料を流体供給手段に出力することを制御し、及び、ステップ(106)で、監視制御ユニット(5)が液面計(6)を介して供給カートリッジ(4)内の燃料溶液量を監視して流体計量手段を達成し、且つ、燃料溶液量が予定の液面高度を下回った時、監視制御ユニット(5)がステップ(103)を選択する。
【００１３】
前記ステップ内において、該燃料カートリッジ(2)と純水カートリッジ(3)がそれぞれ供給カートリッジ(4)内に流入した流体量を介して燃料溶液の濃度を制御に用い、且つ、該燃料カートリッジ(2)と純水カートリッジ(3)の流体が供給カートリッジ(4)に流入する前、まず一時保存区に流入して混合を行い、最終的に供給カートリッジ(4)内に流入する。
【００１４】
更に、前記の流体制御弁は単純な流体開関制御弁として、燃料カートリッジ(2)と純水カートリッジ(3)の流体出力のオープン、或いは、クローズを選択することに用いることができる。また、監視制御ユニット(5)は液面計(6)を介して燃料カートリッジ(2)と純水カートリッジ(3)の液体減少量を監視測定して燃料カートリッジ(2)と純水カートリッジ(3)の液体出力量の判断とすることで、燃料カートリッジ(2)と純水カートリッジ(3)がそれぞれ供給カートリッジ(4)内に流入した流体を予定の流体量に達したかどうかを判断できる。
【００１５】
前記ステップ内に更にステップ(107)を増加することができ、該監視制御ユニット(5)が濃度計(7)を介することで供給カートリッジ(4)内の燃料溶液濃度を継続して監視できる。監視制御ユニット(5)は濃度計(7)を介して供給カートリッジ(4)内の燃料溶液濃度が予定の濃度値時より低くなることを監視した場合、監視制御ユニット(5)のロジック判断手段を介して燃料カートリッジ(2)が供給させる燃料量を判断し、また、燃料カートリッジ(2)は供給カートリッジ(4)に供給する燃料量が予定の燃料量に達するまで燃料カートリッジ(2)の流体制御弁をオープンすることを選択し、更に監視制御ユニット(5)の制御手段を介して燃料カートリッジ(2)の流体制御弁をクローズにし、これにより供給カートリッジ(4)内の燃料溶液濃度が予定の濃度値に達するまで調節する。
【００１６】
図４は、本発明の燃料電池の燃料カートリッジ監視制御装置の別の具体的な実施例の局部部品の立体図である。本発明の燃料電池の燃料カートリッジ監視制御装置の燃料カートリッジ(2)、純水カートリッジ(3)、或いは、供給カートリッジ(4)(図１で示したもの)は、それぞれ液体を収納するスペース、液体入力ポート、及び、液体出力ポートを具える。図４を見ると、特定濃度を供給するメタノール燃料電池の供給カートリッジ(4)を例にすると、該供給カートリッジ(4)には、数個の入力ポート(41)、及び、出力ポート(42)を具え、これら入力ポート(41)がそれぞれ燃料カートリッジ(2)と純水カートリッジ(3)に対応して連結し、該出力ポート(42)が該燃料電池(1)に連結し、且つ、入力ポート(41)、及び、出力ポート(42)は、例えばスロットル弁のような一般的な流体流れ制御構造であり、該入力ポート(41)と出力ポート(42)が選択的に流れ、及び、流体を遮断することができる。及び、該監視制御ユニット(5)には、第一局部回路(51)を含み、該第一局部回路(51)が該供給カートリッジ(4)の外表面に設置されて、供給カートリッジ(4)内に設置されている入力ポート(41)、及び、出力ポート(42)を制御すると共に該液面計(6)を監視することに用いる。これにより、この実施例を介して前記本発明の制御チャートを実施することができる。
【００１７】
前記の監視制御ユニット(5)は、更に一歩進んで第二局部回路(52)、及び、第三局部回路(53)を含むことができ、該第二局部回路(52)が該燃料カートリッジ(2)の外表面に設置されて該燃料カートリッジ(2)内に設置されている電気デバイスを監視、或いは、制御することに用い、該第三局部回路(53)が該純水カートリッジ(3)の外表面に設置され、該純水カートリッジ(3)内に設置された電気デバイスを監視、或いは、制御することに用いる。
【００１８】
その他前記各実施例において、流量制御手段を具備する液体入力ポートと出力ポートを介することで計量手段を達成し、また、液面計デバイスとして代替することができる。
【００１９】
前記実施例に基づき、該供給カートリッジ(4)に濃度計(7)を設置することができ、該濃度計(7)には濃度検出手段を具え、供給カートリッジ(4)内の燃料濃度を検出でき、また、燃料濃度情報を監視制御ユニット(5)に伝送して、供給カートリッジ(4)内の燃料濃度を判断することに用いる。
【００２０】
前記実施例に基づき、該供給カートリッジ(4)に第一伝送ポート(43)を具えることができ、該第一伝送ポート(43)が監視制御ユニット(5)の第一局部回路(51)を統合することで、該監視制御ユニット(5)が第一伝送ポート(43)を介して供給カートリッジ(4)の燃料溶液の液面高度、燃料溶液量、或いは、燃料溶液濃度を含んだ関連情報を外部システムに出力できる。例を挙げると、該第一伝送ポート(43)は、USBインターフェース、1394インターフェース、及び、その他電子装置の情報出力インターフェース内の任意の伝送インターフェースとすることができ、監視制御ユニット(5)が供給カートリッジ(4)内の燃料濃度をパソコンに伝送できる。更に、該燃料カートリッジ(2)と純水カートリッジ(3)はそれぞれ第二伝送ポート(21)と第三伝送ポート(31)を具え、該第二伝送ポート(21)と第三伝送ポート(31)がそれぞれ監視制御ユニット(5)の第二局部回路(52)と第三局部回路(53)を統合することで、該監視制御ユニット(5)が第二局部回路(52)と第三局部回路(53)を介してそれぞれ該燃料カートリッジ(2)と純水カートリッジ(3)の関連情報を外部システムに出力させることができる。
【００２１】
前記の実施例内において、該監視制御ユニット(5)の第一局部回路(51)、第二局部回路(52)、及び、第三局部回路(53)は、それぞれ独立して運転できる。これにより、前記の燃料カートリッジ(2)、純水カートリッジ(3)、及び、供給カートリッジ(4)がそれぞれ独立した個体となることができ、該供給カートリッジ(4)は各入力ポート(41)を介してそれぞれ燃料カートリッジ(2)と純水カートリッジ(3)に対応して接続し、且つ、該監視制御ユニット(5)を介して第一局部回路(51)、第二局部回路(52)、及び、第三局部回路(53)を統合して、燃料カートリッジ(2)、純水カートリッジ(3)と供給カートリッジ(4)を共同で運転させることを達成させることができる。
【００２２】
その他、前記の実施例において、該液面計(6)は直接液面を表示する手段を具え、使用者に燃料カートリッジ(2)、純水カートリッジ(3)、或いは、供給カートリッジ(4)の液体を使い切ったかどうかを識別させることができる。
【００２３】
本発明は、具体的な実施例で上記のとおりに開示したが、開示した具体的な実施例が本発明として限定的に用いることではなく、該項目を熟知する技術者は本発明の精神と範囲に基づき各種の改変と修飾を行なうことができ、行なった改変或いは修飾も全て本発明の保護範疇にあり、本発明の保護範囲は、特許請求の範囲に定義するものを基準とする。
【図面の簡単な説明】
【００２４】
【図１】本発明である燃料電池の燃料カートリッジ監視制御装置の具体的な実施例の部品関連見取図である。
【図２】本発明である燃料電池の燃料カートリッジ監視制御装置の具体的な実施例の制御チャート図である
【図３】本発明の図２の接続制御チャート図である。
【図４】本発明である燃料電池の燃料カートリッジ監視制御装置の別の具体的な実施例の局部部品の立体図である。
【符号の説明】
【００２５】
1  燃料電池
2  燃料カートリッジ
21  第二伝送ポート
3  純水カートリッジ
31 第三伝送ポート
4  供給カートリッジ
41  入力ポート
42  出力ポート
43  第一伝送ポート
5  監視制御ユニット
51  第一局部回路
52  第二局部回路
53  第三局部回路
6  液面計
7  濃度計
101、102、103、104、105、106、107：ステップ
【図１】
2007087915.tif 000003
【図２】
2007087915.tif 000004
【図３】
2007087915.tif 000005
【図４】
2007087915.tif 000006